(57)【要約】  小型遮断器のクラッパ型電磁トリップ装置は、アマチュア（１）と、ヨーク（２）と、コイル（３）と、鉄心（４）と、軸（５）と、アマチュア捩りばね（６）とを有し、前記鉄心（４）が前記ヨーク（２）に取り付けられ、前記コイル（３）が鉄心（４）に環装され、前記アマチュア（１）が軸回りに回動可能に軸（５）に取り付けられ、前記軸（５）に、前記アマチュア（１）を元の位置に戻せるように前記アマチュア（１）に当接するアマチュア捩りばね（６）が取り付けられることを特徴とする。本発明による小型遮断器のクラッパ型電磁トリップ装置は、アマチュアの回動によって、規定の電流範囲内において、アマチュアが吸着されず、遮断器機構がロック解除されなく、規定の電流範囲を超えると、アマチュアが吸着され、アマチュアがロックを叩き、遮断器機構がロック解除されることを実現する。これによって、遮断器の安全性を向上させることができる。
2021500733.tif 000002
【特許請求の範囲】
【請求項１】
アマチュア（１）と、ヨーク（２）と、コイル（３）と、鉄心（４）と、軸（５）と、アマチュア捩りばね（６）とを有し、
前記鉄心（４）が前記ヨーク（２）に取り付けられ、前記コイル（３）が鉄心（４）に環装され、前記アマチュア（１）が軸回りに回動可能に軸（５）に取り付けられ、
前記軸（５）に、前記アマチュア（１）を元の位置に戻せるように前記アマチュア（１）に当接するアマチュア捩りばね（６）が取り付けられる
ことを特徴とする小型遮断器のクラッパ型電磁トリップ装置。
【請求項２】
前記ヨーク（２）は、対向して設置される１対のヨーク板（２０１、２０１’）を備え、
前記ヨーク板（２０１、２０１’）の内側面から固定板（２０１ａ、２０１ａ’）が延出し、前記固定板（２０１ａ、２０１ａ’）に固定孔（２０１ａ０１、２０１ａ０１’）が設けられ、前記固定孔（２０１ａ０１、２０１ａ０１’）が、ヨーク（２）を固定するように遮断器のハウジング（７）における固定柱（７０１）に取り付けられる
ことを特徴とする請求項１に記載の小型遮断器のクラッパ型電磁トリップ装置。
【請求項３】
前記鉄心（４）の両端は、それぞれ前記ヨーク板（２０１、２０１’）における取付孔（２０１ｂ、２０１ｂ’）内に取り付けられ、
前記鉄心（４）の両端は、階段面がヨーク板（２０１、２０１’）と当接する階段（４０１）である
ことを特徴とする請求項２に記載の小型遮断器のクラッパ型電磁トリップ装置。
【請求項４】
前記アマチュア（１）の内側面から取付板（１０１、１０１’）が延出し、前記取付板（１０１、１０１’）に軸取付孔（１０１ａ、１０１ａ’）が設けられ、前記軸（５）の両端がそれぞれ軸取付孔（１０１ａ、１０１ａ’）内に取り付けられ、
前記アマチュア捩りばね（６）は、軸（５）に取り付けられるとともに取付板（１０１、１０１’）の間に位置し、一端が遮断器のハウジング（７）に掛けられ、他端がアマチュア（１）の下面に掛けられる
ことを特徴とする請求項１に記載の小型遮断器のクラッパ型電磁トリップ装置。
【請求項５】
前記アマチュア（１）は、平板であり、
前記ヨーク板（２０１、２０１’）の上面は、平板に対応する平面であり、
前記アマチュア（１）の前端にロック解除凸出部（１０２）が設けられる
ことを特徴とする請求項２に記載の小型遮断器のクラッパ型電磁トリップ装置。
【請求項６】
前記軸（５）は、遮断器のハウジング（７）に固定取付されることを特徴とする請求項１又は４に記載の小型遮断器のクラッパ型電磁トリップ装置。
【請求項７】
前記鉄心（４）は、六面体のものであり、
鉄心（４）の両端は、前記ヨーク板（２０１、２０１’）における対応する四角形孔（２０１ｃ、２０１ｃ’）内に取り付けられ、さらに四角形孔（２０１ｃ、２０１ｃ’）を通って遮断器のハウジング（７）に固定取付される
ことを特徴とする請求項２に記載の小型遮断器のクラッパ型電磁トリップ装置。
【請求項８】
前記鉄心（４）と前記ヨーク板（２０１、２０１’）とは、一体のＵ字形構造に形成され、前記コイル（３）がＵ字形構造の底板に取り付けられることを特徴とする請求項２に記載の小型遮断器のクラッパ型電磁トリップ装置。
【請求項９】
前記鉄心（４）と前記ヨーク板（２０１、２０１’）のうちの一方のヨーク板とは、一体のＬ字形のヨーク鉄心に形成され、
前記アマチュア（１）と前記ヨーク板（２０１、２０１’）のうちの他方のヨーク板とは、一体のＬ字形のものに形成され、
前記コイル（３）がＬ字形のヨーク鉄心の底板に取り付けられる
ことを特徴とする請求項２に記載の小型遮断器のクラッパ型電磁トリップ装置。
【発明の詳細な説明】
【技術分野】
【０００１】
本発明は、遮断器の内部構造の技術分野に属し、具体的に、小型遮断器のクラッパ型電磁トリップ装置に関する。
【背景技術】
【０００２】
遮断器は、使用範囲によって高圧遮断器と低圧遮断器に分けられる。低圧遮断器は、自動スイッチや、「エアスイッチ」とも称され、手動スイッチの機能を備えるとともに、低電圧、不足電圧、過負荷および短絡から自動的に保護することができる電気装置である。遮断器は、電力を割り当て、誘導電動機を低頻度で起動させ、電源回路及び電動機等を保護することに用いられ、過負荷又は短絡、不足電圧等の故障が発生すると、回路を自動的に遮断する。その機能は、ヒューズスイッチと、過電圧継電器、不足電圧継電器又はサーマルリレー等との組み合わせに相当し、故障回路を遮断したあと部品を変更する必要もないので、すでに広く応用されている。
【０００３】
通常、遮断器内に、短絡保護機構が設置され、短絡保護機構が電磁トリップ装置とも呼ばれる。遮断器に流れる電流が規定値まで増大すると、電磁トリップ装置により、遮断器をすぐトリップさせるので、回路保護の機能が実現される。従来技術では、直動式電磁トリップ装置を採用することが一般であり、回路に短絡が発生した場合、可動鉄心と固定鉄心とが瞬時に吸着し、可動鉄心がノッキングロッドを押動して前へ運動させ、ノッキングロッドがロックを押動してロック解除を行い、よってシステムがロック解除される。しかし、このような従来の電磁トリップ装置は、占めるスペースが比較的に大きい。さらに、可動鉄心の運動によりノッキングロッドを運動させ、協働時の隙間が存在するため、伝動スティックが発生しやすくなる。よって、電磁トリップ装置の作動安定性が影響される。
【発明の概要】
【発明が解決しようとする課題】
【０００４】
本発明は、従来の直動式電磁トリップ装置を利用する場合、可動鉄心によりノッキングロッドを運動させるとき伝動スティックが発生しやすいという技術的欠陥を鑑みてなされたものであり、小型遮断器のクラッパ型電磁トリップ装置を提供することを目的とする。当該クラッパ型電磁トリップ装置は、アマチュアの回動によって、規定の電流範囲内において、アマチュアが吸着されず、遮断器機構がロック解除されなく、規定の電流範囲を超えると、アマチュアが吸着され、アマチュアがロックを叩き、遮断器機構がロック解除されることを実現する。これによって、遮断器の安全性を向上させることができる。
【課題を解決するための手段】
【０００５】
上記技術の目的を実現するため、本発明による小型遮断器のクラッパ型電磁トリップ装置は、アマチュアと、ヨークと、コイルと、鉄心と、軸と、アマチュア捩りばねとを有し、前記鉄心が前記ヨークに取り付けられ、前記コイルが鉄心に環装され、前記アマチュアが軸回りに回動可能に軸に取り付けられ、前記軸５に、前記アマチュアを元の位置に戻せるように前記アマチュアに当接するアマチュア捩りばねが取り付けられることを特徴とする。
【０００６】
さらに、前記ヨークは、対向して設置される１対のヨーク板を備え、前記ヨーク板の内側面から固定板が延出し、前記固定板に固定孔が設けられ、前記固定孔が、ヨークを固定するようにハウジングにおける固定柱に取り付けられる。
【０００７】
さらに、前記鉄心の両端は、それぞれ前記ヨーク板における取付孔内に取り付けられ、前記鉄心の両端は、階段面がヨーク板と当接する階段である。
【０００８】
さらに、前記アマチュアの内側面から取付板が延出し、前記取付板に軸取付孔が設けられ、前記軸の両端がそれぞれ軸取付孔内に取り付けられ、前記アマチュア捩りばねが、軸に取り付けられるとともに取付板の間に位置し、一端がハウジングに掛けられ、他端がアマチュアの下面に掛けられる。
【０００９】
さらに、前記アマチュアは、平板であり、前記ヨーク板の上面は、平板に対応する平面であり、前記アマチュアの前端にロック解除凸出部が設けられる。
【００１０】
さらに、前記軸は、ハウジングに固定取付される。
【００１１】
さらに、前記鉄心は、六面体のものであり、鉄心（４）両端は、前記ヨーク板における対応する四角形孔内に取り付けられ、さらに四角形孔を通ってハウジングに固定取付される。
【００１２】
さらに、前記鉄心と前記ヨーク板とは、一体のＵ字形構造に形成され、前記コイルがＵ字形構造の底板に取り付けられる。
【００１３】
さらに、前記鉄心と前記ヨーク板のうちの一方のヨーク板とは、一体のＬ字形のヨーク鉄心に形成され、前記アマチュアと前記ヨーク板のうちの他方のヨーク板とは、一体のＬ字形のものに形成され、前記コイルがＬ字形のヨーク鉄心の底板に取り付けられる。
【発明の効果】
【００１４】
本発明による小型遮断器のクラッパ型電磁トリップ装置は、アマチュアの回動によって、規定の電流範囲内において、アマチュアが吸着されず、遮断器機構がロック解除されなく、規定の電流範囲を超えると、アマチュアが吸着され、アマチュアがロックを叩き、遮断器機構がロック解除されることを実現する。これによって遮断器の安全性を向上させることができる。
【図面の簡単な説明】
【００１５】
【図１】本発明の実施例１の構成模式図である。
【図２】本発明の実施例１の分解図である。
【図３】本発明の実施例１の叩かないときの状態図である。
【図４】本発明の実施例１の叩いたときの状態図である。
【図５】本発明の実施例１の叩かないときの遮断器の状態図である。
【図６】本発明の実施例１の叩いたときの遮断器の状態図である。
【図７】本発明の実施例２の構成模式図である。
【図８】本発明の実施例２の正面方向の模式図である。
【図９】本発明の実施例３の構成模式図である。
【図１０】本発明の実施例４の構成模式図である。
【発明を実施するための形態】
【００１６】
以下、図面及び実施例を参照しながら、本発明をさらに説明する。
【００１７】
（実施例１）
小型遮断器のクラッパ型電磁トリップ装置は、図１和２に示すように、アマチュア１と、ヨーク２と、コイル３と、鉄心４と、軸５と、アマチュア捩りばね６とを有する。上記鉄心４が上記ヨーク２に取り付けられ、上記コイル３が鉄心４に環装され、上記アマチュア１が軸回りに回動可能に軸５に取り付けられる。上記軸５に、上記アマチュア１を元の位置に戻せるように上記アマチュア１に当接するアマチュア捩りばね６が取り付けられる。
【００１８】
具体的に、本実施例では、上記ヨーク２は、対向して設置される１対のヨーク板２０１、２０１’を備える。上記ヨーク板２０１、２０１’の内側面から固定板２０１ａ、２０１ａ’が延出し、上記固定板２０１ａ、２０１ａ’に固定孔２０１ａ０１、２０１ａ０１’が設けられ、上記固定孔２０１ａ０１、２０１ａ０１’が、ヨーク２を固定するようにハウジング７における固定柱７０１に取り付けられる。上記鉄心４の両端は、それぞれ上記ヨーク板２０１、２０１’における取付孔２０１ｂ、２０１ｂ’内に取り付けられる。上記鉄心４の両端は、階段面がヨーク板２０１、２０１’と当接する階段４０１である。上記アマチュア１の内側面から取付板１０１、１０１’が延出し、上記取付板１０１、１０１’に軸取付孔１０１ａ、１０１ａ’が設けられ、上記軸５の両端がそれぞれ軸取付孔１０１ａ、１０１ａ’内に取り付けられ、上記軸５の両端が軸取付孔１０１ａ、１０１ａ’を通ってハウジング７に固定取付される。上記アマチュア捩りばね６は、軸５に取り付けられるとともに取付板１０１、１０１’の間に位置し、一端がハウジング７に掛けられ、他端がアマチュア１の下面に掛けられる。
【００１９】
上記アマチュア１は、平板である。上記ヨーク板２０１、２０１’の上面は、平板に対応する平面である。上記アマチュア１の前端にロック解除凸出部１０２が設けられる。
【００２０】
図３と図５に示すように、電磁トリップ装置のコイル３に比較的に小さい電流が流れるとき、電磁トリップ装置のアマチュア１とヨーク２との吸引力がアマチュア捩りばね６の付勢力より小さく、アマチュア１がアマチュア捩りばね６で静止状態に保たれ、アマチュア１がロックを叩かず、遮断器がロック解除されない。
【００２１】
図４と図６に示すように、遮断器がＯＮになった場合、コイル３に流れる電流が規定値より大きくなると、電磁トリップ装置のアマチュア１とヨーク２との吸引力がアマチュア捩りばね６の付勢力より大きくなる。この場合、アマチュア１が吸引力でアマチュア捩りばね６の付勢力に抵抗してヨーク２の方向に向かって軸５回りに回動し、ロックを叩く。これによって、遮断器がロック解除される。
【００２２】
遮断器がＯＦＦになったあと、アマチュア１は、アマチュア捩りばね６で叩かない状態に戻る。
【００２３】
（実施例２）
図７と図８に示すように、上記鉄心４は、六面体のものである。鉄心４の両端は、上記ヨーク板２０１、２０１’における対応する四角形孔２０１ｃ、２０１ｃ’内に取り付けられ、さらに四角形孔２０１ｃ、２０１ｃ’を通ってハウジング７に固定取付される。本実施例の作動プロセスは、実施例１と同様であるため、ここで説明を省略する。
【００２４】
（実施例３）
図９に示すように、上記鉄心４と上記ヨーク板２０１、２０１’とは、一体のＵ字形構造に形成されてもよい。上記コイル３がＵ字形構造の底板に取り付けられる。
【００２５】
（実施例４）
図１０に示すように、上記鉄心４と上記ヨーク板２０１、２０１’のうちの一方のヨーク板とは、一体のＬ字形のヨーク鉄心に形成され、上記アマチュア１と上記ヨーク板２０１、２０１’のうちの他方のヨーク板とは、一体のＬ字形のものに形成されてもよい。上記コイル３がＬ字形のヨーク鉄心の底板に取り付けられる。
【００２６】
本実施例で図示した構成、比例、大きさ、数量等は、当該技術の熟練した人々が明細書に開示された内容を理解及び閲覧するためのものにすぎず、本発明の実施を限定するための限定条件ではないので、技術上の実質的な意義を有していない。如何なる構成の改良、比例関係の変更又は大きさの調整は、本発明の効果及び目的に影響しない限り、本発明に開示される技術内容がカバーできる範囲内に該当する。また、本明細書に記載の例えば「上」、「下」、「左」、「右」、「中間」、「時計回り」、「反時計回り」等の用語は、明瞭に説明するためのものに過ぎず、本発明の実施の範囲を限定するものではない。その相対関係の変更又は調整は、技術内容に対する実質的な変更がない限り、本発明の実施の範囲内に該当する。
【図１】
2021500733.tif 000003
【図２】
2021500733.tif 000004
【図３】
2021500733.tif 000005
【図４】
2021500733.tif 000006
【図５】
2021500733.tif 000007
【図６】
2021500733.tif 000008
【図７】
2021500733.tif 000009
【図８】
2021500733.tif 000010
【図９】
2021500733.tif 000011
【図１０】
2021500733.tif 000012
【国際調査報告】
2021500733.tif 000013
2021500733.tif 000014
2021500733.tif 000015
2021500733.tif 000016